(57)【要約】【課題】      釣竿ケ−ス内に簡単に釣竿を係止収納出来る釣竿ケ−スを提供することである。【解決手段】  釣竿ケ−スのケ−ス本体１は縦長筒状に形成されて前側の縦方向が左右に開口され、ケ−ス本体１の内面に仕切り体４の左右の中央の仕切り取付部４ａが取り付けられ、仕切り体４の左右は回動可能と成っている。  仕切り体４の左端４ｂの外面と内面には係合部材１４、１５が取り付けられ、仕切り体４の右端４ｃの内面と外面には係合部材１６、１７が取り付けられて仕切り体４の左端４ｂの内面の係合部材１５と右端４ｃの内面の係合部材１６が係合されると、縦方向に筒状になって開口ａが形成され、開口ａから内部の収納部に釣竿５を収納することが出来る。【選択図】        図３
2008161140.tif 000002
【特許請求の範囲】
【請求項１】
ケ−ス本体の内面に仕切り体を取り付け、前記仕切り体はその取付部にて回動可能とし、仕切り体とケ−ス本体の内面に互いに係合する係合部材を設けることを特徴とする釣竿ケ−ス。
【請求項２】
仕切り体は上方に開口を有し、内部に収納部が形成されていることを特徴とする請求項１記載の釣竿ケ−ス。
【請求項３】
ケ−ス本体の内面に仕切り体の上側を覆うカバ−体を設けることを特徴とする請求項１又は２記載の釣竿ケ−ス。
【請求項４】
仕切り体に仕切り体上側を覆うカバ−体を設けることを特徴とする請求項１又は２記載の釣竿ケ−ス。
【発明の詳細な説明】
【技術分野】
【０００１】
本発明は、ケ−ス本体の内面に、内面側に向けて回動可能な仕切り体を取り付けて釣竿を収納する釣竿ケ−スの改良に関する。
【背景技術】
【０００２】
従来釣竿ケ−スはケ−ス内に２本以上収納すると互いにぶつかり合って傷がつくなどのトラブルがあった。
特許文献１ではリ−ル付の釣竿を２本収納しているので、上下に位置移動可能な袋状の受け部材の中に一方の釣竿を収納すると共に、釣竿ケ−ス内の長手方向に複数の係止部を設けて係止部に装着体で２本の釣竿を夫々係止している。
【特許文献１】特開平１１−１１３４６９号公報
【発明の開示】
【発明が解決しようとする課題】
【０００３】
解決しようとする問題点は、複数の係止部を設けて係止部に装着体で２本の釣竿を夫々係止しているので、収納係止が面倒であることである。
【０００４】
本発明の目的は前記欠点に鑑み、釣竿ケ−ス内に簡単に釣竿を係止収納出来る釣竿ケ−スを提供することである。
【課題を解決するための手段】
【０００５】
本発明の請求項１は、ケ−ス本体の内面に仕切り体を取り付け、前記仕切り体はその取付部にて回動可能とし、仕切り体とケ−ス本体の内面に互いに係合する係合部材を設けることを要旨とするものである。
本発明の請求項２は、仕切り体は上方に開口を有し、内部に収納部が形成されていることを要旨とするものである。
本発明の請求項３は、ケ−ス本体の内面に仕切り体の上側を覆うカバ−体を設けることを要旨とするものである。
本発明の請求項４は、仕切り体に仕切り体上側を覆うカバ−体を設けることを要旨とするものである。
【発明の効果】
【０００６】
本発明により、収納する釣竿に合わせてケ−ス本体内の仕切り状態を変更できるので、釣竿の挿脱が敏速容易になり、収納効率がアップする。
【発明を実施するための最良の形態】
【０００７】
釣竿ケ−スのケ−ス本体１は縦長筒状に形成されて底部に硬質の有底筒部材２が固定され、ケ−ス本体１は前側の縦方向が左右に開口されて開口の両側には係合チャック３が取り付けられている。
ケ−ス本体１の内面に仕切り体４の左右の中央の仕切り取付部４ａが取り付けられ、仕切り体４の左右は回動可能と成っている。
仕切り体４は布地やナイロン、塩化ビニ−ル、ポリプロピレン等で形成されている。
仕切り体４の左端４ｂの外面には縦方向に帯状の雄のベルベット式面ファスナからなる係合部材１４が取り付けられ、左端４ｂの内面には縦方向に帯状の雄のベルベット式面ファスナからなる係合部材１５が取り付けられている。
仕切り体４の右端４ｃの内面には縦方向に帯状の雌のベルベット式面ファスナからなる係合部材１６が取り付けられ、右端４ｃの外面には縦方向に帯状の雌のベルベット式面ファスナからなる係合部材１７が取り付けられている。
仕切り体４の左端４ｂの内面の縦方向に帯状の雄のベルベット式面ファスナからなる係合部材１５と右端４ｃの内面の縦方向に帯状の雌のベルベット式面ファスナからなる係合部材１６が係合されると図３、図５のように縦方向に筒状になって開口ａが形成され、開口ａから内部の収納部に釣竿５を収納することが出来る。
【実施例１】
【０００８】
以下、図示の実施例によって本発明を説明すると、図１から図５は第１実施例で図１（ａ）は釣竿ケ−スの断面側面図で（ｂ）は釣竿ケ−スの断面正面図、図２は釣竿ケ−スの要部拡大断面側面、図３は釣竿ケ−スの断面平面図、図４は図３の位置より上側から見た断面平面図、図５は釣竿ケ−スの内部の要部拡大斜視図である。
【０００９】
釣竿ケ−スのケ−ス本体１は縦長筒状に形成されて底部に硬質の有底筒部材２が固定されている。
ケ−ス本体１の前側にはケ−ス本体の長手方向（縦方向）に開口Ｋが形成され、開口Ｋの両側には係合チャック３が取り付けられている。
ケ−ス本体１の内面の下側と上側に夫々仕切り体４、４′の左右の中央が取り付けられ、仕切り体４、４′はケ−ス本体１の内側に取り付けられた部分が仕切り体４、４′の取付部４ａ、４ａ′となり、仕切り体４、４′の左右端は取り付けをしない自由端となっており、仕切り体４、４′は取付部４ａ、４ａ′を中心に回動可能と成っている。
有底筒部材２内の底面に緩衝材１０が固定されている。
ケ−ス本体１の外側材１ａと内側材１ｂは一体に形成されている。
ケ−ス本体１の外側材１ａと内側材１ｂは夫々布地やナイロン、塩化ビニ−ル、ポリプロピレン等の合成樹脂シ−トや織布で形成されている。
ケ−ス本体１の外側材１ａと内側材１ｂの間にはポリエチレンボ−ド等の硬質合成樹脂板１ｃが包み込まれて湾曲筒状に形成され、外側材１ａ、内側材１ｂ、硬質合成樹脂板１ｃでケ−ス本体１の周壁Ｓが形成されている。
ケ−ス本体１の外側には縦方向に肩掛けバンド１１と取っ手ハンドル１２が取り付けられ、上端に取っ手ハンドル１３が取り付けられている。
【００１０】
仕切り体４、４′は夫々布地やナイロン、塩化ビニ−ル、ポリプロピレン等で形成されている。
下側の仕切り体４の左端４ｂの外面には縦方向に帯状の雄のベルベット式面ファスナからなる係合部材１４が取り付けられ、左端４ｂの内面には縦方向に帯状の雄のベルベット式面ファスナからなる係合部材１５が取り付けられている。
仕切り体４の右端４ｃの内面には縦方向に帯状の雌のベルベット式面ファスナからなる係合部材１６が取り付けられ、右端４ｃの外面には縦方向に帯状の雌のベルベット式面ファスナからなる係合部材１７が取り付けられている。
上側の仕切り体４′の左端４ｂ′の外面には縦方向に帯状の雄のベルベット式面ファスナからなる係合部材が取り付けられると共に、左端４ｂ′の内面には縦方向に帯状の雄のベルベット式面ファスナからなる係合部材１５′が取り付けられている。
上側の仕切り体４′の右端４ｃ′の内面には縦方向に帯状の雌のベルベット式面ファスナからなる係合部材１６′が取り付けられると共に、右端４ｃ′の外面には縦方向に帯状の雌のベルベット式面ファスナからなる係合部材が取り付けられている。
【００１１】
下側の仕切り体４の左端４ｂの内面の縦方向に帯状の雄のベルベット式面ファスナからなる係合部材１５と右端４ｃの内面の縦方向に帯状の雌のベルベット式面ファスナからなる係合部材１６が係合されると図３、図５のように縦方向に筒状になって開口ａが形成され、開口ａから内部の収納部に釣竿５を収納することが出来る。
上側の仕切り体４′についても同様である。
仕切り体４はケ−ス本体１の内面に複数個並設してもよい。
【００１２】
ケ−ス本体１の内面の下側の仕切り体４の左端４ｂの位置の外側には縦方向に帯状の雌のベルベット式面ファスナからなる係合部材１８が取り付けられている。
ケ−ス本体１の内面の下側の仕切り体４の右端４ｃの位置の外面には縦方向に帯状の雄のベルベット式面ファスナからなる係合部材１９が取り付けられている。
ケ−ス本体１の内面の上側の仕切り体４′の位置の外側についても同様である。
ケ−ス本体１の内面の下側の係合部材１８と下側の仕切り体４の左端４ｂの外面の縦方向に帯状の雄のベルベット式面ファスナからなる係合部材１４が係合されると図３の左側の２点鎖線で示した仕切り体４の左端４ｂのように、ケ−ス本体１の内面と下側の仕切り体４の左端４ｂとの間が筒状になって開口ｂの内部の収納部に釣竿６を収納することが出来る。
ケ−ス本体１の内面の下側の係合部材１９と下側の仕切り体４の右端４ｃの外面の縦方向に帯状の雌のベルベット式面ファスナからなる係合部材１７が係合されると図３の右側の２点鎖線で示した仕切り体４の右端４ｃのように、ケ−ス本体１の内面と下側の仕切り体４の右端４ｃとの間が筒状になって開口ｃの内部の収納部に釣竿７を収納することが出来る。
下側の仕切り体４は左端４ｂと右端４ｃを係合した袋状のままケ−ス本体１の内面の左側または右側に振ってケ−ス本体１の内面の係合部材１８、１９の何れかに係合部材１４または係合部材１７を係合してもよい。
【００１３】
下側の仕切り体４の左端４ｂおよび右端４ｃの夫々上側には横向きに帯状の雌のベルベット式面ファスナからなる係合部材２０、２１、２２、２３が取り付けられている。
ケ−ス本体１の内面の下側の仕切り体４位置より上側にカバ−体８、８′が取り付けられている。
カバ−体８、８′は夫々布地やナイロン、塩化ビニ−ル、ポリプロピレン等で形成されている。
カバ−体８、８′には夫々横向きに帯状の雄のベルベット式面ファスナからなる係合部材２５、２６が取り付けられている。
カバ−体８の係合部材２５は図４のように、下側の仕切り体４の左端４ｂの係合部材２１に係合される。
カバ−体８′の係合部材２６は下側の仕切り体４の右端４ｃの係合部材２２に係合される。
下側の仕切り体４は左端４ｂと右端４ｃを係合した筒状のままケ−ス本体１の内面の左側または右側に振ってカバ−体８の係合部材２５を仕切り体４の右端４ｃの係合部材２３に係合させたり、カバ−体８′の係合部材２６を仕切り体４の左端４ｂの係合部材２０に係合させてもよい。
【００１４】
前記のように釣竿ケ−スが構成されると、仕切り体４を筒状に係合部材で閉じてその中に釣竿を収納すればよいので、釣竿の挿脱が敏速容易になり、収納効率がアップする。
袋状に係合部材で閉じた仕切り体４の中に納まる長さの図示しない継ぎ合わせるハンドルを収納してカバ−体８またはカバ−体８′を閉じて抜け止めしてもよい。
【実施例２】
【００１５】
図６、図７は  第２実施例で図６は釣竿ケ−スの内部の要部拡大斜視図、図７は釣竿ケ−スの断面平面図である。
【００１６】
第２実施例では仕切り体９は布地やナイロン、塩化ビニ−ル、ポリプロピレン等の合成樹脂シ−トや織布で袋状に有底に形成されるが底部なしであってもよい。
仕切り体９の一側は仕切り取付部９ａでケ−ス本体１の内面に左右に回動可能に取り付けられている。
仕切り体９の自由端部９ｂの左右に縦方向に帯状の雌のベルベット式面ファスナからなる係合部材２７、２８が取り付けられている。
ケ−ス本体１の内面の仕切り体９の自由端部９ｂの対向位置には夫々縦方向に帯状の雄のベルベット式面ファスナからなる係合部材２９、３０が取り付けられている。
ケ−ス本体１の内面に図６のように仕切り体９、９′を複数個並設してもよい。
仕切り体９、９′の自由端部９ｂの左右の上側には横向きに帯状の雌のベルベット式面ファスナからなる係合部材３１、３２、３３と図示しない係合部材が取り付けられている。
【００１７】
ケ−ス本体１の内面の下側の仕切り体９位置より上側にカバ−体８、８′が取り付けられている。
カバ−体８、８′は夫々布地やナイロン、塩化ビニ−ル、ポリプロピレン等で形成され、夫々横向きに帯状の雄のベルベット式面ファスナからなる係合部材２５、２６が取り付けられている。
カバ−体８、８′で仕切り体９、９′の開口を覆う時には、仕切り体９の係合部材３２にカバ−体８の係合部材２５を係合し、仕切り体９′の係合部材３３にカバ−体８′の係合部材２６を係合する。
仕切り体９の係合部材３１にカバ−体８′の係合部材２６を係合してもよい。
【実施例３】
【００１８】
図８は第３実施例で図８は釣竿ケ−スの内部の要部拡大斜視図である。
【００１９】
第３実施例では仕切り体９、９′にカバ−体９ｃ、９ｄが一体的に固定されている。
仕切り体９の自由端部９ｂの内側の上側には夫々横向きに帯状の雌のベルベット式面ファスナからなる係合部材３２、３３が取り付けられている。
カバ−体９ｃ、９ｄには夫々横向きに帯状の雄のベルベット式面ファスナからなる係合部材２５、２６が取り付けられている。
他の構成は第２実施例と略同一である。
【産業上の利用可能性】
【００２０】
本発明は釣竿ケ−スの全般に利用できる。
【図面の簡単な説明】
【００２１】
【図１】第１実施例で（ａ）は釣竿ケ−スの断面側面図で（ｂ）は釣竿ケ−スの断面正面図である。
【図２】同釣竿ケ−スの要部拡大断面側面である。
【図３】同釣竿ケ−スの断面平面図である。
【図４】同図３の位置より上側から見た断面平面図である。
【図５】同釣竿ケ−スの内部の要部拡大斜視図である。
【図６】第２実施例で釣竿ケ−スの内部の要部拡大斜視図である。
【図７】同釣竿ケ−スの断面平面図である。
【図８】第３実施例で釣竿ケ−スの内部の要部拡大斜視図である。
【符号の説明】
【００２２】
１  ケ−ス本体
４、４′、９、９′  仕切り体
４ａ、９ａ  仕切り取付部
８、８′、９ｃ  カバ−体
１４、１５、１５′、１６、１６′、１７、１８、１９  係合部材
ａ、ｂ、ｃ  開口
【図１】
2008161140.tif 000003
【図２】
2008161140.tif 000004
【図３】
2008161140.tif 000005
【図４】
2008161140.tif 000006
【図５】
2008161140.tif 000007
【図６】
2008161140.tif 000008
【図７】
2008161140.tif 000009
【図８】
2008161140.tif 000010